(57)【特許請求の範囲】
【請求項１】
着用したとき陰茎の少なくとも亀頭部が外部に突出する穴部を有する着用部品と、尿を保持する袋状の袋部品とを備え、かつ、前記袋部品が前記穴部から外部に突出した陰茎の少なくとも亀頭部を包み込むようにして、前記着用部品に対して着脱自在に取り付けられる男性用おむつであって、
前記穴部が線状のスリットで構成され、
このスリットを横切る方向に伸縮する伸縮部と、この伸縮部と一体で、かつ前記スリット両側方の着用部品表面に対してそれぞれ着脱自在に取り付けられる一対の着脱部と、を有するスリット閉塞部材を備え、
前記一対の着脱部を前記スリット両側方の着用部品表面に取り付けることにより前記スリット閉塞部材を前記着用部品に取り付けると、前記伸縮部の収縮力により前記スリットが閉じられるようになる、
ことを特徴とする男性用おむつ。
【請求項２】
前記袋部品は、陰茎の少なくとも亀頭部が挿入される第２の穴部が形成された内シートと、この内シートに積層された外シートとで袋状とされており、
前記内シートに前記スリット閉塞部材が取り付けられ、このスリット閉塞部材が前記袋部品の前記着用部品に対する着脱機能を兼ねる構成とされている、
請求項１記載の男性用おむつ。
【請求項３】
前記スリット閉塞部材が前記第２の穴部の周縁近傍に取り付けられており、前記スリット閉塞部材の伸縮力によって前記第２の穴部の周長も伸縮する構成とされている、
請求項２記載の男性用おむつ。
【発明の詳細な説明】
【技術分野】
【０００１】
本発明は、失禁患者、幼児、寝たきりの病人や老人等に使用する男性用おむつに関するものである。
【背景技術】
【０００２】
失禁患者や寝たきりの病人等は、自律して排尿行為を行なうことができない。従って、これらの者の排尿に対処する必要がある。そのための器具や方法がいくつか開示されている。代表的な方法の一つに尿道を通してカテーテルを膀胱まで導き、カテーテルを通して尿を排尿容器に導く方法がある。しかし、かかる方法は、患者等に非常に痛みが伴うとともに装置も大掛かりなものとなるため、尿を体外に排出することすら困難な重病患者等においては適当であるが、軽度の失禁患者や介護人などの介護をうければ排尿行為が可能な者などに対しては行なうのは不適当である。
【０００３】
他の方法としては、使用者の陰茎にガラスや樹脂でできた鞘状の排尿容器を被せるとともに、ベルトなどで装着者の体に固定する種の排尿器具を用いる方法である。かかる方法は、装着時の痛みは少ないが、装着に手間がかかる上に、排尿容器に重量があるため常時使用するには使用者の負担が大きく、また、身動きも制限される。さらには排尿容器の存在が衣類の上から目立つという欠点もある。
【０００４】
そこで、最も簡易な方法として、使い捨ておむつを使用する方法が一般化している。しかしながら、かかる方法は、上記の器具を用いた方法よりは装着性は簡易となるが、使い捨ておむつは実質的に尿を吸収する部分が一部分であるにもかかわらず、一度使用するとその全部を交換する必要があり経済的ではない。また、自分でおむつを交換することができない寝たきりの患者等の場合は、排尿後から介護人などに交換してもらうまでの間、おむつ内に尿が存在したままの状態となり、かかる状態が続くと不快になるばかりか、蒸れて皮膚かぶれを引き起こすことがある。また、おむつの交換は介護人にとって大きな負担である。
【０００５】
そこで、装着感に優れ、簡易に装着および交換でき、さらには、経済性にも優れる男性用おむつとして、着用したとき陰茎が外部に突出する穴部を有する着用部品と、体液を吸収して保持する袋状の袋部品とを備え、かつ、袋部品が穴部から外部に突出した陰茎を包み込むようにして、着用部品に対して着脱自在に取り付けられたものが提案されている（特許文献１）。
【０００６】
しかしながら、この従来の男性用おむつによると、装着に際して介護人等が着用部品の穴部から陰茎を外部に突出させるのに手間がかかるため、装着性が低下する。しかも、着用部品の穴部の位置を陰茎の位置に合わせて装着しなければならないため、着用者の体型等によっては、おむつ全体としてはずれて装着されることになり、装着感や漏れ防止性能に劣ることがある。
【先行技術文献】
【特許文献】
【０００７】
【特許文献１】特開２００３−１１１７８８号公報
【発明の概要】
【発明が解決しようとする課題】
【０００８】
本発明が解決しようとする主たる課題は、適切な位置に簡易に装着することができ、しかも経済性に優れる男性用おむつを提供することにある。
【課題を解決するための手段】
【０００９】
この課題を解決した本発明は、次のとおりである。
〔請求項１記載の発明〕
着用したとき陰茎の少なくとも亀頭部が外部に突出する穴部を有する着用部品と、尿を保持する袋状の袋部品とを備え、かつ、前記袋部品が前記穴部から外部に突出した陰茎の少なくとも亀頭部を包み込むようにして、前記着用部品に対して着脱自在に取り付けられる男性用おむつであって、
前記穴部が線状のスリットで構成され、
このスリットを横切る方向に伸縮する伸縮部と、この伸縮部と一体で、かつ前記スリット両側方の着用部品表面に対してそれぞれ着脱自在に取り付けられる一対の着脱部と、を有するスリット閉塞部材を備え、
前記一対の着脱部を前記スリット両側方の着用部品表面に取り付けることにより前記スリット閉塞部材を前記着用部品に取り付けると、前記伸縮部の収縮力により前記スリットが閉じられるようになる、
ことを特徴とする男性用おむつ。
【００１０】
（作用効果）
穴部を線状のスリットで構成すると、当該スリットの長さを長くすることで、穴部から陰茎を外部に突出させるのが容易となり、装着性が向上する。しかも、穴部の位置を陰茎の位置に合わせても、おむつ全体は、スリットに沿ってずらすことや、陰茎の位置を中心に回転することができ、おむつ全体を適切な位置に装着することができる。
【００１１】
また、スリットを横切る方向に伸縮する伸縮部と、この伸縮部と一体で、かつスリット両側方の着用部品表面に対して着脱自在に取り付けられる一対の着脱部とを有するスリット閉塞部材を備えるので、一対の着脱部をスリット両側方の着用部品表面に取り付けると、伸縮部の収縮力によってスリット両側方部が相互に引き寄せ合い、スリットが閉じることになる。したがって、たとえスリットの長さを長くしたとしても、穴部が陰茎にフィットする。
【００１２】
〔請求項２記載の発明〕
前記袋部品は、陰茎の少なくとも亀頭部が挿入される第２の穴部が形成された内シートと、この内シートに積層された外シートとで袋状とされており、
前記内シートに前記スリット閉塞部材が取り付けられ、このスリット閉塞部材が前記袋部品の前記着用部品に対する着脱機能を兼ねる構成とされている、
請求項１記載の男性用おむつ。
【００１３】
（作用効果）
袋部品が、陰茎が挿入される第２の穴部を有する内シートと、この内シートに積層された外シートとで袋状とされていると、両シート間に尿が保持されることになる。そして、内シートにスリット閉塞部材が取り付けられていると、このスリット閉塞部材の収縮力によって内シートも収縮するため、外シートが内シートから離れる方向へ膨らむことになる。結果、両シート間の蓄尿空間が広がり、尿が袋部品内に入り易くなる。
【００１４】
また、袋部品にスリット閉塞部材が取り付けられていると、このスリット閉塞部材の特に着脱部に、上記スリット閉塞機能の他、袋部品の着用部品に対する着脱機能を兼ねさせることができる。
【００１５】
〔請求項３記載の発明〕
前記スリット閉塞部材が前記第２の穴部の周縁近傍に取り付けられており、前記スリット閉塞部材の伸縮力によって前記第２の穴部の周長も伸縮する構成とされている、
請求項２記載の男性用おむつ。
【００１６】
（作用効果）
スリット閉塞部材が第２の穴部の周縁近傍に取り付けられていると、当該スリット閉塞部材の伸縮力によって第２の穴部の周長も伸縮することになり、第２の穴部の陰茎に対するフィット性が向上する。結果、例えば、両シート間に保持された尿の第２の穴部からの漏れ等が防止される。
【発明の効果】
【００１７】
本発明によると、適切な位置に簡易に装着することができ、しかも経済性に優れる男性用おむつとなる。
【図面の簡単な説明】
【００１８】
【図１】テープ式着用部品の展開状態の内面側を示す平面図である。
【図２】テープ式着用部品の展開状態の外面側を示す平面図である。
【図３】図１のｉｉｉ−ｉｉｉ断面図である。
【図４】図１のｉｖ−ｉｖ断面図である。
【図５】図１のｖ−ｖ断面図である。
【図６】止着テープ部分の拡大図である。
【図７】他の止着テープ部分の拡大図である。
【図８】他の止着テープ部分の拡大図である。
【図９】穴部の形態例を示す模式図である。
【図１０】図９のＸ−Ｘ断面図である。
【図１１】袋部品の内面側を示す平面図である。
【図１２】図１１のＸＩＩ−ＸＩＩ断面図である。
【図１３】スリット閉塞部材の断面図である。
【図１４】スリット閉塞部材の変形例の平面図である。
【図１５】スリット閉塞部材の変形例の断面図である。
【図１６】穴部近傍の形態例である。
【図１７】着用部品にスリット閉塞部材を取り付けた状態を示す要部平面図である。
【図１８】着用部品にスリット閉塞部材を取り付けた状態を示す要部断面図である。
【発明を実施するための形態】
【００１９】
以下、本発明の一実施形態について添付図面を参照しながら詳説する。
本形態の男性用おむつは、着用したとき陰茎の少なくとも亀頭部（以下、単に「陰茎」ともいう。）が外部に突出する穴部を有する着用部品と、尿を保持する袋状の袋部品とを備え、袋部品が穴部から外部に突出した陰茎を包み込むようにして、着用部品に対して着脱自在に取り付けられるものである。以下、着用部品、袋部品の順に説明する。
【００２０】
（着用部品）
図１〜図８は、本発明の男性用おむつの着用部品の一例を示しており、この着用部品は、いわゆるテープ式の使い捨ておむつに該当するものであって、不透液性バックシート１の内面と、透液性トップシート２との間に、吸収体３が介在されているものである。なお、本発明は、パンツ式の場合にも適用可能である。
【００２１】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３としては、図示形態のような、下層吸収体３Ｂの表面側に下層吸収体３Ｂよりも寸法の小さい上層吸収体３Ａを積層してなる２層構造のものの他、一層構造のものも採用することができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体３におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２２】
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２３】
着用部品外面を布のような外観、肌触りとするために、バックシート１の裏面全体は外装シート１２で覆われており、両シート１，１２の外周縁は着用部品の外周縁まで及んでいる。外装シート１２としては各種の不織布を用いることができるが、スパンボンド不織布が好適である。外装シート１２は省略することもできる。
【００２４】
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。透液性トップシート２に用いる不織布の繊維目付けは１５〜３０ｇ／ｍ2であるのが好ましく、厚みは０．０５〜１ｍｍであるのが好ましい。
【００２５】
トップシート２は、吸収体３の周囲より外側に延在しており、吸収体３側縁より外側に延在する部分がバックシート１にホットメルト接着剤等により固着されている。なお、図中の点模様は固着部分を表しているものである。
【００２６】
図３及び図４にも示されるように、物品内面の両側部（図示形態ではトップシート２の側縁部表面からその側方に延在するバックシート１の表面）には、側部バリヤーシート４の幅方向外側の部分４ｘが前後方向全体にわたり貼り付けられている。側部バリヤーシート４は、各種不織布（スパンボンド不織布が好適である）の他、バックシート１に用いられるものと同様のプラスチックフィルム、又はこれらの積層シートを用いることができるが、肌への感触性の点で、撥水処理を施した不織布が好適である。側部バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸張した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立する側部バリヤーを構成する。この起立部分の基端４ｂは側部バリヤーシート４における幅方向外側の固定部分４ｘと内側の部分４ｃとの境に位置する。なお、図１中の右斜め上がりの斜線部分は側部バリヤーシート４の固着部分を示しており、左斜め上がりの斜線部分は後述する背側バリヤーシート３０の固着部分を示している。
【００２７】
本着用部品の前後方向両端部では、バックシート１、外装シート１２、透液性トップシート２および側部バリヤーシート４が吸収体３の前後端よりも前後両側にそれぞれ延在され、吸収体３の存在しないエンドフラップ部ＥＦが形成されている。一方、本着用部品の左右両側部では、バックシート１、外装シート１２、透液性トップシート２および側部バリヤーシート４が吸収体３の側縁よりも側方にそれぞれ延在され、吸収体３の存在しないサイドフラップ部が形成されている。サイドフラップ部のうち腹側部分Ｆのウエスト側部分及び背側部分Ｂのウエスト側部分にそれぞれ位置する部分は、それらの間の中間部分よりも側方に延出されており、これらの部分が、おむつ（着用部品）の胴回り部分となるウエスト側サイドフラップ部ＳＦとなり、中間部分が脚周り包囲部分ＬＲとなり、その両側縁が脚開口の縁Ｌｅとなる。
【００２８】
背側部分Ｂの両ウエスト側サイドフラップ部ＳＦには、その側縁からそれぞれ突出する止着テープ５が取り付けられるとともに、腹側部分Ｆの胴回り部表面に幅方向に沿ってフロントターゲットテープ（ＦＴＴ）６が貼着されており、身体への装着に際しては、本着用部品を身体にあてがった状態で、両側の止着テープ５を腰の各側から腹側外面に回してフロントターゲットテープ６に止着する。フロントターゲットテープ６は省略することもでき、その場合には止着テープ５は着用部品外面（図示形態の場合外装シート１２）に直に止着される。
【００２９】
止着テープ５は、背側部分Ｂのウエスト側サイドフラップ部ＳＦにおけるシート間にホットメルト接着剤等の手段により固定された固定部５ｆと、サイドフラップ部ＳＦの側縁のシート間から幅方向外側に突出する突出部５ｅとを有しており、この突出部５ｅは先端部５ｐと、この先端部５ｐよりも基端側の本体部５ｂとを有している。止着テープ５の先端部５ｐの内面側（透液性表面シート２側）には、ターゲットテープ６との連結のための連結部として、表面にフック状突起を多数有するフックテープ（メカニカルファスナー（面ファスナー）の雄材）９，９がそれぞれ取り付けられており、フロントターゲットテープ６としてフック状突起が着脱可能に掛止される表面を有するもの（メカニカルファスナー（面ファスナー）の雌材）が取り付けられている。おむつ外面の素材自体をフロントターゲットテープ６の代わりに用いたり、フックテープ９に代えて粘着剤層を用いるとともに、フロントターゲットテープ６として粘着性に富むような表面が平滑な樹脂テープを用いたりすることができる。
【００３０】
特に、図示形態の止着テープ５は、その全体にわたる（つまり固定部５ｆ、本体部５ｂ及び先端部５ｐにわたる）基本シート５１と、この基本シート５１の先端部５ｐの幅方向全体にわたり固定された補強シート５２とを有するとともに、基本シート５１の固定部５ｆに該当する部分がシートを折り返して貼り合わせることにより補強されている。連結部であるフックテープ９はこの補強シート５２の幅方向中間部に貼り付けられている。このように固定部５ｆ及び先端部５ｐを補強することにより、固定部５ｆ及び先端部５ｐにおける強度や剛性を確保し、また本体部５ｂにおける柔軟性や伸縮性を確保することができる。また、基本シート５１の内面側には、先端部５ｐにおける補強シート５２と基本シート５１との間から固定部５ｆにおける折り返し部分の対向面間まで押えシート５３が張り合わされており、この押えシート５３と基本シート５１との間に、弾性伸縮部材２０がホットメルト接着剤等により接着固定されている。弾性伸縮部材２０としては、前述の細長状のものの他、シート状のものも用いることができる。
【００３１】
各シート５１〜５３は、一枚の素材で形成する他、複数枚の素材を貼り合わせて形成することもできる。各シート５１〜５３の素材は特に限定されないが不織布が好適である。不織布としては公知のものを特に限定無く用いることができる。不織布を構成する繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の製造方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。使用する不織布の坪量は適宜定めることができるが、本体部５ｂにおける不織布の総坪量が２０〜７５ｇ／ｍ2、特に２６〜４６ｇ／ｍ2であり、固定部５ｆ及び先端部５ｐにおける不織布の総坪量がそれぞれ３５〜１３０ｇ／ｍ2、特に４６〜１１６ｇ／ｍ2であると好ましい。また、基本シート５１及び押えシート５３に用いる不織布の各坪量は１５〜２５ｇ／ｍ2程度であるのが好ましく、補強シート５２に用いる不織布の各坪量は５０〜８０ｇ／ｍ2程度であるのが好ましい。この範囲内であれば、止着テープ５の固定部５ｆ及び先端部５ｐにおける強度や剛性の確保、及び本体部５ｂにおける柔軟性や伸縮性の確保を、バランス良く且つ効果的に達成することができる。
【００３２】
弾性伸縮部材２０は、図６にも示すように、固定部５ｆから本体部５ｂを横断して先端部５ｐまで連続している。固定部５ｆから本体部５ｂまでとすることも可能である。より詳細には、弾性伸縮部材２０は、固定部５ｆにおける本体部５ｂ側と反対側の端縁に対して本体部５ｂ側に所定距離離間した位置から、本体部５ｂを通り先端部５ｐにおけるフックテープ９よりも本体部５ｂ側の位置まで延在している。よって、固定部５ｆにおける本体部５ｂ側と反対側の端部、及びフックテープ９から先端側の部分には弾性伸縮部材２０は延在していない。そして、弾性伸縮部材２０のうち、固定部５ｆに位置する部分２１はその全体が非伸張状態で接着固定されており、本体部５ｂに位置する部分２２の両端を除く略全体が幅方向に伸張した状態で接着固定されている。また、弾性伸縮部材２０における先端部５ｐに位置する部分２３もその全体が非伸張状態で接着固定されている。
【００３３】
このような構造を採用することによって、固定部５ｆが収縮しないため、固定部５ｆを挟持するシート（バリヤーシート４及びバックシート１）に対する密着性が確保され、接着強度が低下しないとともに、弾性伸縮部材２０と固定部５ｆとの間における力の伝達が直接的となり、弾性伸縮部材２０の伸縮作用によるおむつの形状追従性が損なわれることもない。また、弾性伸縮する部分を固定部５ｆ近傍まで設けることができ、伸縮長さの確保も容易となる。さらに、固定部５ｆにおける本体部５ｂ側と反対側の端部に弾性伸縮部材２０を有しないことにより、当該端部が平坦となり、固定部５ｆを挟持するシートに対して良好に密着し、より接着強度に優れるようになる。また、固定部５ｆと同様に、弾性伸縮部材２０における先端部５ｐに位置する部分２３も非伸張状態で接着固定されており、先端部５ｐが収縮しないため、補強シート５２と基本シート５１とが良好に密着し、補強シート５２の接着強度が低下することがない。また、弾性伸縮部材２０の先端部が補強シート５２と重なるため、フックテープ９と弾性伸縮部材２０との間の力の伝達も円滑となり、弾性伸縮部材２０の伸縮作用による着用部品の形状追従性も損なわれ難くなる。
【００３４】
細長状弾性伸縮部材２０を用いる場合、止着テープ５の上下方向に所定の間隔を空けて複数本並設するのが好ましい。具体的には、弾性伸縮部材２０の本数は、８〜１００本程度、特に２５〜５０本程度が適当であり、また、その間隔は２〜２５ｍｍ程度、特に３〜７ｍｍ程度とするのが好ましい。また、細長状弾性伸縮部材２０の太さ（幅）は９００〜１３００ｄｔｅｘ（０．３〜１０ｍｍ）程度とするのが好ましく、また取り付け時の伸張率は３００〜４００％程度とするのが好ましい。各弾性伸縮部材２０は幅方向に対して若干（例えば±５度程度）傾斜していても良い。図７及び図８に示すように、本体部５ｂを横断して固定部５ｆと先端部５ｐとを往復しながら止着テープ５の上下方向に延在する波状をなすように、細長状弾性伸縮部材２０を配置することもできる。具体的な波状配置としては、図７に示すように三角波状の配置を採用できる他、図８に示すように幅方向に沿う直線状部分２０ｓと折り返し部分２０ｒからなる波状配置を採用することもできる。後者の場合、直線状部分は固定部５ｆ及び先端部５ｐにわたるように設けられているのが好ましく、折り返し部分２０ｒは円弧状等の曲線状をなしているのが好ましい。
【００３５】
細長状弾性伸縮部材２０が図示のように配置されていると、細長状弾性伸縮部材２０が少なくとも固定部５ｆと本体部５ｂとに跨るように及び本体部５ｂと先端部５ｐとに跨るように、上下方向と交差する方向に沿って延在するため、細長状弾性伸縮部材２０が固定部５ｆ及び先端部５ｐと本体部５ｂとの各境界を繋ぐ補強部材となるだけでなく、各境界に加わる力が分散するため、裂けや破れが防止される。しかも、この細長状弾性伸縮部材２０を設けるだけであれば、柔軟性が損なわれることもなく、また形状が細長状であるため通気性が損なわれることもない。
【００３６】
細長状弾性伸縮部材２０の寸法等については適宜定めれば良いが、例えば、止着テープ５の寸法に関して、高さ（上下方向長さ）を６０〜２４０ｍｍ、固定部５ｆの幅を２０〜６０ｍｍ、本体部５ｂの幅を４０〜２５０ｍｍ、先端部５ｐの幅を３０〜１０５ｍｍとする場合、弾性伸縮部材２０の太さを３００〜２，５００ｄｔｅｘとし、上下方向間隔を２〜３０ｍｍとして、止着テープの上下方向全体にわたり弾性伸縮部材２０を設けるのが好ましい。
【００３７】
また、基本シート５１と押えシート５３との間に細長状弾性伸縮部材２０を挟みこれらをホットメルト接着剤で一体的に固定する場合、接着剤の塗布パターンは適宜定めることができ、幅方向の両端部のみ（例えば先端部５ｐ及び固定部５ｆのみ）でも良いが、幅方向に間欠的であるのが好ましく、中でも接着部分５４及び非接着部分５５の幅方向部位が上下方向に列なっているのが好ましい。図中にはこの接着剤部分が点模様（網掛け）により示されている。具体的に図示形態の場合、基本シート５１及び押えシート５３は、幅方向に所定の間隔を空けて形成された、止着テープの上端から下端まで連続する縦縞状の接着部分５４により接着されており、且つこの縦縞状の接着部分５４により弾性伸縮部材２０が基本シート５１及び押えシート５３の両者に接着固定され、これら接着部分５４間では基本シート５１及び押えシート５３の両者に接着固定されていない。図中にはこの接着剤部分が点模様（網掛け）により示されている。また、各接着部分５４の幅５４ｗは５ｍｍ以下とされており、接着部分５４間の間隔（非接着部分５５の幅）５５ｗが接着部分５４の幅５４ｗよりも大きくされている。
【００３８】
特に、接着部分５４の幅５４ｗを０．１〜５ｍｍ程度、非接着部分５５の幅５５ｗを１〜１０ｍｍ程度とし、細長状弾性伸縮部材２０の固定時の伸張率を２００〜４００％程度とするのが好ましい。また、止着テープ５において弾性伸縮部材２０が伸張状態で固定された部分（図示形態の場合、本体部５ｂの部分２２）の幅は１００〜２００ｍｍとするのが好ましい。
【００３９】
このように接着剤の塗布パターンとして十分に細く十分に間隔の空いた接着線群からなる縦縞状パターンを採用することにより、止着テープ５の本体部５ｂでは、縦方向に連続する低剛性の非接着部分５５が幅方向に間欠的に形成されるため、各非接着部分５５により柔軟に折れ曲がることができるとともに、縦方向に連続する各接着部分５４の幅が細いため、接着剤による硬質化が抑制される。その結果、このような接着パターンを採用した止着テープ５は、胴回りにおける身体表面の突出部分に対して柔軟にフィットすることができる。しかも、接着パターンが縦縞であると、弾性伸縮部材２０並びに基本シート５１及び押えシート５３は幅方向に多数箇所で接着固定されるため固定強度に優れるとともに、伸縮長さを長く確保したとしても、規則的で綺麗な縦皺が形成されるため、肌触り及び見栄えが向上するとともに、伸縮も円滑となる。
【００４０】
止着テープ５における弾性伸縮部材２０としては、通気性や柔軟性の観点から、上述のように複数本の細長状弾性伸縮部材を上下方向に所定の間隔を空けて並設するのが好ましい。しかし、細長状弾性伸縮部材２０はその当接面積が小さいため、締め付けが局所的にきつくなり易い。よって、これを解決するために、接着部分５４における接着剤層の厚みを弾性伸縮部材２０の厚みよりも厚くするのは好ましい。これにより、細長状弾性伸縮部材２０を用いたとしても、その締め付け力が締め付け方向と交差する方向に延在する多数の接着部分５４によって、より広範囲に分散され、局所的な締め付けが緩和されるようになる。具体的に、弾性伸縮部材２０の太さが９００〜１３００ｄｔｅｘ（０．３〜１０ｍｍ）程度である場合、接着剤の塗布厚は０．１〜１ｍｍとするのが好ましい。
【００４１】
細長状弾性伸縮部材２０の固定及び他の不織布間の固定のための接着剤の総使用量は、本体部５ｂにおいては５〜４０ｇ／ｍ2とするのが好ましく、先端部５ｐにおいては１０〜６０ｇ／ｍ2とするのが好ましく、固定部５ｆにおいては５〜６０ｇ／ｍ2とするのが好ましい。また、このような接着形態を採用する場合、本体部５ｂでは間欠接着、固定部５ｆ及び先端部５ｐでは連続接着となっているのが好ましい。
【００４２】
また、図示形態の止着テープ５は、上下方向中間部における幅方向外側縁から本体部５ｂ内まで幅方向に沿うミシン目１０が設けられており、このミシン目１０を切り離すことにより各々が固定部、本体部、先端部及び連結部を備えた上段部及び下段部に分離することができるものである。ミシン目１０による分離線は細長状弾性伸縮部材２０を横切らず且つ十分に離間するように配置するか、又は横切る場合にはミシン目１０のカット部分の形成時に同時に細長状弾性伸縮部材２０を切断しておくことが望ましい。ミシン目１０に代えて、予め切断等により分離されていても良い。このような止着テープ５は、上段部と下段部とを交差させた状態で、腹側部分のフロントターゲットテープ６に着脱自在に連結することができ、この際、先端部側の部分５ｐよりも固定部側の部分５ｆの方が、弾性変形時引張応力が弱いと、上段部及び下段部の付根部の向きが変わり易く、上段部及び下段部の交差角度の調整が容易となる。もちろん、このような上下２段分割タイプに限られず、２段分割しないタイプ等、他の公知の止着テープに応用することもできる。
【００４３】
他方、図示形態の使い捨ておむつにおいては、トップシート２の後端部（図示例の場合はエンドフラップ部ＥＦ）には、着用部品内面（図示形態ではトップシート２表面）に対して起立する背側バリヤーシート３０が設けられている。より詳細には、図５にも示すように、背側バリヤーシート３０は、ウエスト側端部が幅方向全体にわたりトップシート２表面にホットメルト接着剤等の接合手段により接合されるとともに、股間側部分のうち両端部がトップシート２と両バリヤーシート４との間に挟まれて両シートに対してホットメルト接着剤等の接合手段により接合され（図１にはこれらの接合部分が右斜め下向きの斜線で示されている）、これら両端部の間の部分が非固定の自由部分とされ、この自由部分の先端部が内向き（トップシート２側）に折り返されて折り返し部分の対向面相互がホットメルト接着剤等の固手段により固定され、かつこの折り返し部分のシート間に細長状弾性伸縮部材３１が幅方向に沿って伸張した状態でホットメルト接着剤等の固手段により固定されている。この細長状弾性伸縮部材３１は図示例では所定の間隔を空けて複数本設けられているが、一本でも良い。この自由部分は、細長状弾性伸縮部材３１の収縮力が作用する結果、着用部品内面（図示形態ではトップシート２表面）に対して起立する背側バリヤーを構成する。この起立部分の基端は背側バリヤーシート３０におけるウエスト側端部の固定部分と内側の自由部分との境に位置する。
【００４４】
さらに、背側部分Ｂにおけるウエスト側部分（図示例の場合はウエスト側端部であるエンドフラップ部ＥＦ）は、幅方向中間部が幅方向に弾性伸縮する背側伸縮部４０として構成されている。図示例の背側伸縮部４０は幅方向中央部にのみ設けられているが、幅方向全体にわたり設けたり、幅方向両側部にのみ設けたりすることもでき、また幅方向中央線ＷＣに関して線対称に設けられているのが好ましい。より詳細には、背側バリヤーシート３０のウエスト側端部が内向き（トップシート２側）に折り返され、折り返し部分の対向面相互がホットメルト接着剤等の固定手段により固定され、かつこの折り返し部分のシート間に細長状弾性伸縮部材４１が幅方向に沿って伸張した状態でホットメルト接着剤等の固定手段により固定されている。この細長状弾性伸縮部材４１は一本でも良いが図示例のように所定の間隔を空けて複数本設けるのが好ましい。この細長状弾性伸縮部材４１の本数は、１〜１０本程度、特に２〜５本程度が適当であり、図示例では３本である。また、その間隔は２〜１５ｍｍ程度、特に３〜７ｍｍ程度とするのが好ましい。さらに、細長状弾性伸縮部材４１の太さは５００〜１５００ｄｔｅｘ程度、特に８００〜１３００ｄｔｅｘ程度（天然ゴムの場合０．１〜３ｍｍ程度、特に０．５〜３ｍｍ程度）とするのが好ましく、また取り付け時の伸張率は１５０〜２５０％程度、特に１６０〜２００％程度とするのが好ましい。図示例では、背側バリヤーシート３０のウエスト側端部を利用して背側伸縮部４０の弾性伸縮部材４１を取り付けているが、この弾性伸縮部材４１をトップシート２とバックシート１との間や、バックシート１と外装シート１２との間に挟んで固定することもできる。このような背側伸縮部４０を有することにより、おむつ（着用部品）背側部分Ｂにおけるウエスト側端部が装着者の背中に弾力的に押し当てられ、おむつ（着用部品））と装着者の背中との間に隙間が発生し難くなる。
【００４５】
背側伸縮部４０における幅方向の弾性変形時引張応力は止着テープ５の本体部５ｂにおける幅方向の弾性変形時引張応力よりも弱く（例えば５％以上弱く）なるように構成されているのが好ましい。より具体的には、背側伸縮部４０における弾性変形時引張応力が１０ｋｇ／ｍ以下であるのが好ましく、止着テープ５の本体部５ｂにおける弾性変形時引張応力が５〜２５ｋｇ／ｍであるのが好ましい。このような弾性変形時引張応力の差は、各部に取り付けられる弾性伸縮部材２０，４１の太さ、本数を適宜選択することにより設定することができる。これにより、装着の際に背側伸縮部４０が身体で押え付けられて伸張が不十分となっても、止着テープ５を背側伸縮部４０の伸張分も含めてきつめに伸張させておくことで、装着後に背側部分４０が解放されたときに、止着テープ５の強い収縮力により背側伸縮部４０が伸張され、背側伸縮部４０が装着者の背中に弾力的にフィットするようになる。つまり、背側伸縮部４０を十分なフィット性が得られるように伸張した状態で装着できるため、おむつの背側部分Ｂと装着者の肌との間に隙間が発生し難くなる。なお、弾性変形時引張応力とは、幅方向の対象部分（背側伸縮部４０の場合は弾性伸縮部材４１が固定されている部分）を他の部分から切断して幅方向の引張試験を行うことにより測定される、幅方向の最大伸張時における伸張長さに対して１５％収縮した時の引張応力を意味する。
【００４６】
また、上述のように止着テープ５の収縮力により背側伸縮部４０を伸長させる場合、止着テープ５の伸縮部における幅方向の最大伸縮長さを、背側伸縮部４０における幅方向の最大伸縮長さの２〜１５倍、特に５〜７倍となるように構成し、止着テープ５の伸縮長さを背側伸縮部４０よりも十分に長く確保するのが好ましい。なお、最大伸縮長さは、各部に取り付けられる弾性伸縮部材２０，４１の伸張率等を適宜選択することにより設定することができる。
【００４７】
他方、本着用部品の幅方向中央線ＷＣの両側には、少なくとも脚開口の縁Ｌｅと対応する前後方向範囲Ａ１にわたり前後方向に延在する複数本の脚付根部弾性伸縮部材１３及び複数本の脚周り弾性伸縮部材１４が、その延在方向に沿って伸張された状態で、おむつ（着用部品）幅方向中央線ＷＣに関して線対称をなすようにそれぞれ取り付けられている。これらの弾性伸縮部材１３，１４は、図示形態では外装シート１２とバックシート１との間にホットメルト接着剤を用いて固定されているが、吸収体３を支持する支持部であれば他の部分に設けることもできる。ここで、支持部とは、吸収体３がおむつから離脱しないように支持する部分であり、吸収体３以外の素材により複合的に形成されるものである。具体的に本実施形態の場合、吸収体３の裏面側に位置する部材であるバックシート１及び外装シート１２と、吸収体３の表面側を覆うトップシート２、並びに吸収体３の表面側の両側部を覆う側部バリヤーシート４が、吸収体３の支持部を構成しており、その幅方向両側縁のうち前後方向中間の部分が、装着者の脚を通す脚開口の縁Ｌｅをなしている。よって、脚付根部弾性伸縮部材１３及び脚周り弾性伸縮部材１４は、取付位置に応じて、バックシート１と側部バリヤーシート４との間や、バックシート１とトップシート２との間、あるいはトップシート２の裏面に設けることもできる。また、脚付根部弾性伸縮部材１３及び脚周り弾性伸縮部材１４は、その少なくとも一方又は少なくとも一方の一部を異なるシート間に取り付けることができる。これら脚付根部弾性伸縮部材１３及び脚周り弾性伸縮部材１４が前後方向に沿う細長状弾性伸縮部材であり、またこれらを挟持固定する内シート及び外シートが、図示形態ではバックシート１及び外装シート１２である。
【００４８】
左右各側における脚付根部弾性伸縮部材１３の本数は適宜定めることができるが、１〜５本程度、特に２〜４本程度が適当であり、図示例では３本である。左右各側における脚付根部弾性伸縮部材１３の本数を複数本とする場合には、その間隔は例えば１〜２０ｍｍ程度、好ましくは２〜１５ｍｍ程度、特に好ましくは８〜１２ｍｍ程度である。また、各脚付根部弾性伸縮部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各脚付根部弾性伸縮部材１３の固定時の伸長率は１５０〜２５０％程度であるのが好ましい。
【００４９】
このような屈曲線状の脚付根部弾性伸縮部材１３を備えていると、その収縮力の作用によって、着用部品が脚の付根周りの複雑な立体形状、すなわち装着者の脚の付根周りのうち股間から臀溝、大腿筋膜張筋の上部にわたる部分だけでなく、股間から内転筋群の凸部を横断して鼠蹊部までにわたり、確実にフィットするようになる。また、脚の付根周りの複雑な形状に適合した配置で弾性伸縮部材１３を設けることによって、静的なフィット性はもちろんのこと、動的なフィット性も良好となり、例えば仰臥位から座位、座位から仰臥位の姿勢に変化する際における脚の付根周りの形状変化に対しても着用部品の形状が追従し易くなる。その結果、着用部品と脚の付根周りとの間に不要な空間が形成され難くなり、漏れが発生し難くなる。
【００５０】
左右各側における脚周り弾性伸縮部材１４の本数は適宜定めることができるが、３〜１０本程度、より好ましくは３〜８本程度、特に３〜５本程度が適当であり、図示例では５本である。左右各側における脚周り弾性伸縮部材１４の本数を複数本とする場合には、その間隔は１〜２０ｍｍ程度、好ましくは２〜１５ｍｍ程度、特に好ましくは６〜１０ｍｍ程度である。また、各脚周り弾性伸縮部材１４としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各脚周り弾性伸縮部材１４の固定時の伸長率は１５０〜２５０％程度であるのが好ましい。
【００５１】
複数本の脚付根部弾性伸縮部材１３は前側に向うにつれて間隔が狭くなっており、複数本の脚周り弾性伸縮部材１４はそれぞれ前後各側に向かうにつれて間隔が狭くなっている。また、これらの弾性伸縮部材１３，１４の前後各側は、ウエスト側サイドフラップ部ＳＦ（脚周り開口の縁Ｌｅよりウエスト側）にかけて設けられており、背側では止着テープ５の固定部５ｆと重なる位置に向かって延在し、腹側ではフロントターゲットテープ６と重なる位置に向かって延在している。
【００５２】
また、脚付根部及び脚周り弾性伸縮部材１３，１４における前後両端部と重なる部分では、脚付根部及び脚周り弾性伸縮部材１３，１４を挟持する隣接シート（バックシート１と外装シート１２）が固着されていない非固着領域とされ、この領域内では脚付根部及び脚周り弾性伸縮部材１３，１４は隣接シート（バックシート１と外装シート１２）に固着されていない。これは、製造時に行われる前後縁での切断により弾性伸縮部材１３，１４を同時に切断し、脚付根部及び脚周り弾性伸縮部材１３，１４の前後端部を収縮させて、隣接シート間に引き込ませ、前後縁からはみ出ないようにするためである。この結果、外装シート１２とバックシート１との間に非固着領域からなる筒状の通路１２ｒが形成される。この通路１２ｒは製品前後縁に開口している。脚付根部及び脚周り弾性伸縮部材１３，１４の他の部分（前後方向中間部分）と重なる部分では、両シート１，１２が固着され、この固着領域内では脚付根部及び脚周り弾性伸縮部材１３，１４は伸張状態で両シート１２，１に接着固定される。
【００５３】
この筒状の通路１２ｒの位置は、腹側においてはウエスト側端縁からフロントターゲットテープ６の下縁まで延在しており、この通路１２ｒの下端開口から脚付根部及び脚周り弾性伸縮部材１３，１４が導入されている。この結果、ターゲットテープ６を幅広にして腹側のウエスト側サイドフラップＳＦの両端近傍まで延在させる、或いはより股間側まで延在させる等により、脚付根部及び脚周り弾性伸縮部材１３，１４がターゲットテープ６と交差する配置となっても、ターゲットテープ６に対して脚付根部及び脚周り弾性伸縮部材１３，１４の収縮力が作用せず、脚付根部及び脚周り弾性伸縮部材１３，１４の収縮力によりターゲットテープ６に皺が寄ることがない。よって、ターゲットテープ６全体にわたり十分な連結力が得られるようになる。
【００５４】
また、腹側部分Ｆにおいては、脚付根部及び脚周り弾性伸縮部材１３，１４は、ある程度の間隔（例えば２〜１０ｍｍ程度、特に３〜１０ｍｍ程度）を保ったまま通路１２ｒの股間側端縁に至るように設けるのが好ましい。このように、左右各側の脚付根部及び脚周り弾性伸縮部材１３，１４が、股間部から前側に向かうにつれて間隔が狭くなるように配置されている場合、複数本の弾性伸縮部材１３，１４が通路１２ｒの股間側端縁と交差する位置で幅方向にある程度の間隔を有していると、非固着領域である通路１２ｒとその股間側の固着領域との境界に収縮力が集中し難く、フィット性及び見栄えの悪化を防止できる。
【００５５】
ただしこの場合、ターゲットテープ６は股間側に対しても広範囲に設けると非固着領域が過大となり、強度低下等の問題点をもたらすおそれがある。特に、矩形状の接着パターンにより非固着領域である通路１２ｒを設けた場合は尚更である。そこで、図示のように脚付根部及び脚周り弾性伸縮部材１３，１４の間隔の狭まりに対応させて（つまり通路１２ｒの側縁が隣接する弾性伸縮部材の曲線に沿うように）、通路１２ｒの幅をターゲットテープ６の股間側端縁から腹側部分におけるウエスト側端縁に向かうにつれて縮小するのが好ましい。通常のおむつの製造ラインにおいて非固着領域の幅を連続的に変化するのは困難であるため、図示のように非固着領域を階段状に形成するのが好ましい。特に、脚付根部及び脚周り弾性伸縮部材１３，１４が図示形態のようなパターンをなしている場合、通路１２ｒの幅方向外側の側縁は前後方向に沿って直線状をなすようにし、幅方向中央側の側縁のみを階段状に屈曲させるのが好ましい。
【００５６】
上記例では、脚付根部及び脚周り弾性伸縮部材１３，１４における通路１２ｒ（非固着領域）内の部分は、隣接シート（バックシート１と外装シート１２）の両者に固着されていない形態であるが、内シートであるバックシート１に対してだけであれば固着されていても良い。
【００５７】
他方、背側における通路１２ｒの位置は、図示形態と異なり、止着テープ５の固定部５ｆと重ならない部位に設けると、止着テープ５の固定部５ｆの固定強度が高くなるため好ましい。
【００５８】
ところで、本形態の着用部品は、図１及び図２に示すように、着用したときに、陰茎の少なくとも亀頭部が外部に突出する穴部５１が、製品幅方向中央の腹側部分Ｆに形成されている。この穴部５１は、図９の（ａ）及び図１０に示すように、背腹方向に沿う線状のスリットで構成されており、このスリットは、バックシート１が一方バックシート１Ｌ及び他方バックシート１Ｒに、トップシート２が一方トップシート２Ｌ及び他方トップシート２Ｒに、外装シート１２が一方外装シート１２Ｌ及び他方外装シート１２Ｒに、上層吸収体３Ａが一方上層吸収体３ＡＬ及び他方上層吸収体３ＡＲに、下層吸収体３Ｂが一方下層吸収体３ＢＬ及び他方下層吸収体３ＢＲに、それぞれ切断等により分割されて形成されている。
【００５９】
このように穴部５１を線状のスリットで構成すると、当該スリットの長さ（分割長、切断長）Ｚ１を長くすることで、穴部５１から陰茎を外部に突出させるのが容易となり、着用部品の装着性が向上する。しかも、穴部５１の位置を陰茎の位置に合わせても、おむつ（着用部品）全体は、スリットに沿って背腹方向にずらすことや、陰茎の位置を中心に回転することができるため、おむつ全体を適切な位置に装着することができる。
【００６０】
穴部５１の長さＺ１は、特に限定されるものではないが、通常４０〜２００ｍｍ、好ましくは６０〜１５０ｍｍである。穴部５１の長さＺ１が短過ぎると、装着性向上効果や、おむつ全体の適切な位置への配置効果が得られなくなるおそれがあり、他方、穴部５１の長さＺ１が長過ぎると、着用部品の形状安定性や、強度等が低下し、また、軟便等の漏れ防止効果が低下するおそれがある。
【００６１】
本形態では、穴部５１を背腹方向に沿う直線状としたが、例えば、図９の（ｂ）に示すように、幅方向に沿う直線状とすることや、図９の（ｃ）に示すように、幅方向に沿う直線状の穴部５１Ｘ及び背腹方向に沿う直線状の穴部５１Ｙを有する十字状とすること等もできる。また、図示はしないが、幅方向及び背腹方向のいずれにも沿わない斜め方向に沿う直線状とすることや、以上のスリットの組合せで構成することもでき、さらに、各スリットを直線状の他、曲線状、屈曲状などとすることもできる。
【００６２】
ただし、いずれの場合においても、各シート１，２，１２の分割側端部は、ホットメルト接着剤等によって接着固定して一体化し、背腹方向に沿う場合を例に図１６に示すように、この一体化部分５１Ｓに、スリットの延在方向に直交する方向（図示例では幅方向）に沿うカット線５１Ｘを、スリットの延在方向（図示例では背腹方向）に適宜の間隔をおいて複数形成し、肌当たり性の向上等を図るのが好ましい。
【００６３】
（袋部品）
一方、本形態の男性用おむつは、図１１及び図１２に示すように、尿を保持する袋状の袋部品７０を備える。この袋部品７０は、着用部品の穴部５１から外部に突出した陰茎の少なくとも亀頭部を包み込むようにして、当該着用部品に対して着脱自在に取り付けられるものである。より詳細には、袋部品７０は、陰茎の少なくとも亀頭部が挿入される第２の穴部７１Ａが形成された内シート７１と、この内シート７１に積層された外シート７２とを有し、これらのシート７１，７２の周縁部が全長にわたってホットメルト接着剤等によって接着固定されることによって、袋状とされている。したがって、第２の穴部７１Ａから挿入された亀頭部から排泄された尿は、両シート７１，７２間の蓄尿空間７０Ｘに保持される。
【００６４】
この両シート７１，７２の素材は、蓄尿空間７０Ｘから外部へ尿を通さない性質を有するもの、つまり、不透液性であるのが好ましく、例えば、ポリエチレンフィルム等の前述バックシート１として使用することができる素材と同様の素材で構成することができる。また、この両シート７１，７２の内面側それぞれに、不織布等の前述トップシート２として使用することができる素材と同様の素材で構成したシートを積層して肌触り性を向上させたり、この肌触り性向上シートと内シート７１及び外シート７２との間それぞれに前述吸収体３として使用することができる素材と同様の素材で構成した部材（吸収体）を介在させて、尿の逆戻り（第２の穴部７１Ａからの尿漏れ）防止を図ったりすることもできる。
【００６５】
内シート７１及び外シート７２の平面形状は、図示例のように背腹方向に長い長方形状とすることの他、幅方向に長い長方形状、正方形状、円形状、多角形状、任意形状などとすることもできる。さらに、図示例では、内シート７１と外シート７２とが別のシートで構成される形態を示したが、例えば、内シート７１に該当する部分及び外シート７２に該当する部分を有する１枚のシートを封筒状等に折り畳んで袋状の袋部品７０とすることもできる。
【００６６】
一方、本形態の袋部品７０には、図１１に示すように、内シート７１の表面（袋部品７０を着用部品に取り付けた場合において、着用部品側となる表面）にスリット閉塞部材８０が取り付けられている。このスリット閉塞部材８０は、図１１の他、図１３にも示すように、袋部品７０を着用部品に取り付けた状態において、少なくとも穴部（スリット）５１を横切る方向、図示例では幅方向に伸縮する伸縮部８１と、この伸縮部８１と一体の着脱部８２Ｌ，８２Ｒとで構成されている。
【００６７】
伸縮部８１は、不織布等からなるシートに細長状弾性伸縮部材が伸張状態でホットメルト接着剤等によって接着固定されて伸縮するものとされた部材で構成することや、帯状の天然ゴムや合成ゴム等で構成することができる。また、細長状弾性伸縮部材を使用する場合は、その素材として、前述バリヤーシート４において細長状弾性伸縮部材４Ｇとして使用することができる素材として例示した素材と同様の素材を使用することができる。
【００６８】
他方、着脱部８２Ｌ，８２Ｒは、伸縮部８１と一体とされており、穴部（スリット）５１両側方の着用部品表面、本形態では外装シート１２に対してそれぞれ着脱自在に取り付けられる対となる構成とされている。この形態によると、伸縮部８１を適宜伸張した状態において、一対の着脱部８２Ｌ，８２Ｒを穴部（スリット）５１両側方の着用部品表面にそれぞれ取り付けると、図１７及び図１８に示すように、伸縮部８１の収縮力によって、当該穴部（スリット）５１の両側方部が相互に引き寄せ合い、穴部（スリット）５１が閉じる（閉塞する）ことになる。したがって、装着性の観点から穴部（スリット）５１の長さＺ１を長くしている本形態においても、穴部（スリット）５１が陰茎にフィットすることになる。
【００６９】
また、特に本形態においては、内シート７１にスリット閉塞部材８０が取り付けられており、伸縮部８１の収縮力によって内シート７１が収縮するため、外シート７２が内シート７１から離れる方向へ膨らむことになる。結果、両シート７１，７２間の蓄尿空間７０Ｘが広がり、袋部品７０内に尿が入り易くなる。さらに、袋部品７０、本形態では内シート７１にスリット閉塞部材８０が取り付けられていると、本形態にように、このスリット閉塞部材８０に袋部品７０の着用部品に対する着脱機能を兼ねさせることができ、部材（部品）点数を減らすことができる。
【００７０】
本形態において、着脱部８２Ｌ，８２Ｒは、表面にフック状突起を多数有するフックテープ（メカニカルファスナー（面ファスナー）の雄材）で構成されており、また、図９の（ａ）に示すように、穴部（スリット）５１両側方の着用部品表面（外装シート１２）には当該フック状突起が着脱可能に掛止される表面を有するターゲットテープ（メカニカルファスナー（面ファスナー）の雌材）６Ｌ，６Ｒが固定されている。したがって、伸縮部８１を伸張した状態において、一方の着脱部８２Ｌを一方のターゲットテープ６Ｒに、他方の着脱部８２Ｒを他方のターゲットテープ６Ｌに、それぞれ当接するのみで、穴部（スリット）５１を閉塞するとともに（同時に）、袋部品７０を着用部品に取り付けることができる。
【００７１】
図９の（ｂ）に示すように、穴部（スリット）５１が幅方向に沿う場合は、当該穴部５１のウエスト側及び股間側にそれぞれターゲットテープ６Ｕ，６Ｄを設け、伸縮部８１を少なくとも背腹方向に伸縮するものとする。また、穴部（スリット）を幅方向に沿う穴部５１Ｘ及び背腹方向に沿う穴部５１Ｙを有する十字状とする場合は、幅方向一方のウエスト側、幅方向一方の股間側、幅方向他方のウエスト側及び幅方向他方の股間側にそれぞれターゲットテープ６ＬＵ，６ＬＤ，６ＲＵ，６ＲＤを設け、伸縮部８１を少なくとも幅方向及び背腹方向に伸縮するものとする。
【００７２】
各ターゲットテープ６Ｌ，６Ｒ等の大きさ、形状等は特に限定されないが、スリット（穴部）５１を確実に閉塞するという観点からは、各ターゲットテープがスリット（穴部）５１に沿う方向に関して、当該スリット５１の長さＺ１よりも長くなるように構成するのが好ましい。
【００７３】
もっとも、以上の各ターゲットテープは省略することができ、例えば、不織布等からなる着用部品表面、本形態では外装シート１２に直接、着脱部８２Ｌ，８２Ｒを取り付けることができる。また、着脱部８２Ｌ，８２Ｒをフックテープに変えて粘着剤層で構成し、ターゲットテープ６Ｌ，６Ｒ等をターゲットテープに変えて表面が平滑な樹脂テープで構成することもできる。
【００７４】
本形態において、着脱部８２Ｌ，８２Ｒは、それぞれ幅方向に離間する２つのフックテープで構成されている。装着時における袋部品７０の着用部品からの意図しない脱落は、尿の漏れにつながるため、着脱部８２Ｌ，８２Ｒはある程度の固定力をもって着用部品表面（外装シート１２）に取り付けられる必要がある。もっとも、固定力を増すために各着脱部８２Ｌ，８２Ｒを伸縮部８１の伸縮方向（図示例では幅方向）に長くし過ぎると、伸縮部８１の伸縮性が阻害される。そこで、各着脱部８２Ｌ，８２Ｒを伸縮部８１の伸縮方向に離間する２つのフックテープで構成するものであり、このような観点から各着脱部８２Ｌ，８２Ｒをそれぞれ３つ、４つ又はそれ以上の複数とすることもでき、また、両者８２Ｌ，８２Ｒの数を異なるものとすることもできる。
【００７５】
また、本形態において、着脱部８２Ｌ，８２Ｒは、伸縮部８１の表面にホットメルト接着剤等の接着剤によって接着固定されているが、着脱部８２Ｌ，８２Ｒが伸縮部８１と直接又は他の部材を介して一体であれば当該伸縮部８１の伸縮力が着脱部８２Ｌ，８２Ｒを介して穴部（スリット）５１両側方の着用部品表面に伝達される。したがって、例えば、図１４の（ａ）に示すように、着脱部８２Ｌ，８２Ｒが伸縮部８１の背腹方向一方側の縁から、本形態ではウエスト側の縁から延出するように構成することもできる。なお、この形態の場合、着脱部８２Ｌ，８２Ｒ及び伸縮部８１が直接的に一体化されていても、内シート７１を介して間接的に一体化されていてもよい。
【００７６】
また、スリット閉塞部材８０は、１つに限定されず、例えば、図１４の（ｂ）に示すように、２つ設けることや、図示はしないが３つ、４つ又はそれ以上の複数設けることもできる。
【００７７】
ただし、スリット閉塞部材８０は、内シート７１に形成された第２の穴部７１Ａの周縁近傍に、例えば、スリット閉塞部材８０と第２の穴部７１Ａ周縁との最短離間距離が３０ｍｍ以下となるように、好ましくは２０ｍｍ以下となるように取り付けられていると好適である。スリット閉塞部材８０が第２の穴部７１Ａの周縁近傍に取り付けられていると、当該スリット閉塞部材８０（伸縮部８１）の伸縮力によって第２の穴部７１Ａの周長も伸縮するため、第２の穴部７１Ａの陰茎に対するフィット性が向上する。結果、装着感が向上するのはもちろん、例えば、両シート７１，７２間の蓄尿空間７０Ｘに保持された尿が第２の穴部７１Ａから漏れるのが防止される。
【００７８】
このようなフィット性（装着感）、尿漏れ防止の観点からは、第２の穴部７１Ａの形状を図示例のように円形状とするのが好適であるが、楕円形状や、方形状、その他の多角形状などとすることもできる。また、スリット閉塞部材８０を１つとする場合は、通常、下向きとなる陰茎に対するフィット性の向上という観点から、図１１に示すように、第２の穴部７１Ａの股間側に配置するのが好ましく、スリット閉塞部材８０を２つとする場合は、図１４の（ｂ）に示すように、第２の穴部７１Ａの背腹方向両方にそれぞれ１つずつ配置するのが好ましい。さらに、いずれの場合においても、袋部品７０の着用部品に対する固定力、固定安定性等を向上させるために、フックテープ等からなる着脱部材７３を第２の穴部７１Ａよりウエスト側の袋部品７０のウエスト側端部の幅方向両端部に設けておくと好適である。この形態によると、袋部品７０の着用部品に対する取付け時において着脱部材７３が、通常ターゲットテープ６Ｌ，６Ｒ、袋部品７０の大きさによってはフロントターゲットテープ６に取り付けられ、後者の場合においては、フロントターゲットテープ６が止着テープ５の固定用（取付け用）としてだけではなく、袋部品７０の固定用（取付け用）としても機能することになる。
【００７９】
本形態においては、スリット閉塞部材８０が袋部品７０に固定されるが、スリット閉塞部材が袋部品７０に固定されない形態、つまり、スリット閉塞部材と袋部品７０とを別体とすることもできる。別体とする場合、以上のスリット閉塞部材８０をそのまま採用することもできるが、別の形態を採用することもでき、この別の形態とする場合の具体例を図１５に示した。
【００８０】
このスリット閉塞部材８０Ｃは、図１５の（ａ）に示すように、帯状の基材８３を有し、この基材８３は、長手方向中央及びその両側方に折り線が形成されて、長手方向中央の折り線から一側方の折り線までの領域８３ＣＬ、当該一側方の折り線から一端縁までの領域８３ＯＬ、長手方向中央の折り線から他側方の折り線までの領域８３ＣＲ及び当該他側方の折り線から他端縁までの領域８３ＯＲに区画されている。この基材８３は、着用部品側（紙面下側）の表面にフック状突起を多数有するメカニカルファスナー（面ファスナー）の雄材で構成されている。また、基材８３の領域８３ＣＲにおける着用部品側の表面には補助材８４が固定されており、この補助材８４は、上記フック状突起が着脱可能に掛止される表面（着用部品側（下側）の表面）を有するメカニカルファスナー（面ファスナー）の雌材で構成されている。
【００８１】
このスリット閉塞部材８３Ｃは、図１５の（ｂ）に示すように、長手方向中央の折り線において山折りされ、その両側方の折り線において谷折りされる。これら山折り及び谷折りの程度が強められると、図１５の（ｃ）に示すように、補助材８４の表面と領域８３ＣＬにおける基材８３の表面とが掛止固定され、スリット閉塞部材８０Ｃ（基材８３）の長手方向の長さが短くなる。つまり、このスリット閉塞部材８０Ｃは、当該掛止固定によって長手方向の長さが短くなり、当該掛止固定の解除によって長手方向の長さが長くなるものであり、基材８３及び補助材８４を含む全体が伸縮部として機能する。また、スリット閉塞部材８０Ｃは、領域８３ＯＬ及び領域８３ＯＲにおける基材８３が着用部品の表面に掛止固定されるものであり、当該領域８３ＯＬ及び領域８３ＯＲにおける基材８３が脱着部として機能する。なお、前述穴部（スリット）５１が背腹方向に形成される本形態においては、上記掛止固定を解除した状態においてスリット閉塞部材８０Ｃを長手方向が着用部品の幅方向に沿うように取り付け、上記掛止固定を行ってスリット閉塞部材８０Ｃを短くする（収縮させる）ことにより、穴部（スリット）５１を閉じることになる。
【産業上の利用可能性】
【００８２】
本発明は、失禁患者、幼児、寝たきりの病人や老人等に使用する男性用おむつとして適用可能である。
【符号の説明】
【００８３】
１…不透液性バックシート、２…透液性トップシート、３…吸収体、４…側部バリヤーシート、５…止着テープ、６，６Ｌ，６Ｒ…ターゲットテープ、９…フックテープ、１０…ミシン目、１２…外装シート、１３…脚付根部弾性伸縮部材、１４…脚周り弾性伸縮部材、２０…細長状弾性伸縮部材、３０…背側バリヤーシート、４０…背側伸縮部、５１…穴部（スリット）、７０…袋部品、７０Ｘ…蓄尿空間、７１…内シート、７１Ａ…第２の穴部、７２…外シート、８０，８０Ｃ…スリット閉塞部材、８１…伸縮部、８２Ｌ，８２Ｒ…着脱部。
【図１】
0005647830.tif 000002
【図２】
0005647830.tif 000003
【図３】
0005647830.tif 000004
【図４】
0005647830.tif 000005
【図５】
0005647830.tif 000006
【図６】
0005647830.tif 000007
【図７】
0005647830.tif 000008
【図８】
0005647830.tif 000009
【図９】
0005647830.tif 000010
【図１０】
0005647830.tif 000011
【図１１】
0005647830.tif 000012
【図１２】
0005647830.tif 000013
【図１３】
0005647830.tif 000014
【図１４】
0005647830.tif 000015
【図１５】
0005647830.tif 000016
【図１６】
0005647830.tif 000017
【図１７】
0005647830.tif 000018
【図１８】
0005647830.tif 000019